(57)【要約】      （修正有）【課題】業務用シンクには、温水配管と冷水配管とが、別々の蛇口に接続されている場合が多いが、水温を調節するために、固定式の冷温水混合栓を蛇口に設ける場合では、逆流の問題のほか、温水または冷水だけを大量に放出したいときに、混合栓から蛇口をはずすのは面倒になる。本考案は、この課題を解決する為のもので、業務用シンクに適した蛇口に取り付ける冷温水混合器を提供する。【解決手段】冷温水混合器３として、一端を閉じ他端端面に放出口３ａと側面上方に開口部３ｂを設けた筒状体で、その側面上方部分で一方の注水管２に保持され、もう一方の注水管２の先端から開口部３ｂに注水される。【選択図】図２
0003206074.tif 000002
【実用新案登録請求の範囲】
【請求項１】
温水配管と冷水配管とに、別々の蛇口が接続されていて、それらの蛇口の出口先に接続され、その蛇口の出口先から水平に回転可能で、水平に伸びた先端が下方に屈曲している注水管から注出される注出水が、混合される冷温水混合器にあって、その冷温水混合器は、一端を閉じ他端端面に放出口と側面上方に開口部とを設けた筒状体で、その側面上方部分で一方の前記注水管に保持され、もう一方の注水管の先端から前記開口部に注水されることを特徴とした冷温水混合器。
【請求項２】
その側面上方部分で、一方の前記注水管の先端に、回転可能な構造で接続されたことを特徴とした請求項１の冷温水混合器。
【請求項３】
その側面上方の内面部分で、一方の前記注水管に保持されたことを特徴とした請求項１の冷温水混合器。
【考案の詳細な説明】
【技術分野】
【０００１】  本発明は、冷温水混合器に関する。特に業務用シンクの蛇口に取り付ける冷温水混合器に関する。
【背景技術】
【０００２】  通常、温度調整付き蛇口は、温水と冷水が、蛇口のところで混合器により混合され、出水口から放出されている。ところで、特許文献１に示すように、業務用シンクの蛇口は、温水と冷水が、別々の蛇口の出水口から放出されている場合がある。これにはいろいろな理由があるが、温水と冷水との水圧が大きく異なっていたり、不安定であったりした場合、逆流して不具合を発生してしまわないようにするためである。
図１には、このような従来の業務用シンクを示していて、温水と冷水が、別々の蛇口１の出口先から水平に回転可能で、水平に伸びた先端が下方に屈曲している注水管２から注水される。【０００３】  ところで、温水と冷水が、別々の蛇口構成であっても、温度を調節して使用したい場合があり、特許文献２には、温水と冷水を混合する複雑な構造のミキサー付きの混合栓を設ける方法が提案されている。
【先行技術文献】
【特許文献】
【０００４】
【特許文献１】特開２０００−１２０１２３公報
【特許文献２】特開２０００−１１０２１０公報
【考案の概要】
【考案が解決しようとする課題】
【０００５】  しかし、特許文献２のような固定式の混合栓を業務用シンクの蛇口に設ける場合には、逆流の問題のほか、温水または冷水だけを大量に放出したい場合に、混合栓から蛇口をはずすのは面倒になる。【０００６】  本発明は、上記の課題を解決する為のもので、業務用シンクに適した蛇口に取り付ける冷温水混合器を提供するものである。
【課題を解決するための手段】
【０００７】  本発明は、上記の課題を解決するために、下記の冷温水混合器を提供するものである。
（１）温水配管と冷水配管とが、別々の蛇口に接続され、それらの蛇口の出口先に接続された、水平で先端が下方に屈曲していて、前記蛇口の出口先から水平に回転可能な注水管から注出される注出水が、混合される冷温水混合器にあって、その冷温水混合器は、一端を閉じ他端端面に放出口と側面上方に開口部を設けた筒状体で、その側面上方部分で一方の前記注水管に保持され、もう一方の注水管の先端から前記開口部に注水されることを特徴とした冷温水混合器。
（２）上記（１）において、その側面上方部分で、一方の前記注水管に、回転可能な構造で固定されたことを特徴とした冷温水混合器。
（３）上記（１）において、その側面上方の内面部分で、一方の前記注水管に保持されたことを特徴とした冷温水混合器。
【考案の効果】
【０００８】  本発明によれば、業務用シンクに適した蛇口に取り付ける冷温水混合器を提供することができる。
【図面の簡単な説明】
【０００９】
【図１】従来の業務用シンクの概略斜視図を示している。
【図２】本発明の冷温水混合器の概略斜視図を示している。
【図３】本発明の冷温水混合器の概略断面図を示している。
【図４】本発明の冷温水混合器の別の概略斜視図を示している。
【考案を実施するための形態】
【００１０】  本発明の温水配管は、ボイラー等で加熱された水を通す配管をさす。
【００１１】  本発明の冷水配管は、加熱されていない水を通す配管をさす。通常は上水道の屋内引き込み配管となっているが、低温化された水を通す場合もある。
【００１２】  本発明の注水管は、蛇口の出口先に接続されるそそぎ口で、蛇口の出口先から水平に回転可能で、形状は、おおむね水平で、先端が下方に屈曲していている。
【００１３】  本発明の冷温水混合器は、一端を閉じ他端端面に放出口と側面上方に開口部を設けた筒状体で、その筒状体の軸が、水平方向に保持されて使用される。そして、その側面上方部分で、一方の前記注水管に保持され、もう一方の注水管の先端から、前記開口部に注水される。
筒状体の構造は、ビンを倒したような形状が好ましく、厚みは、３０μｍから３ｍｍ、好ましくは５０μｍから５００μｍ程度の中空体で、少なくとも内部の空間部分が筒状体となってことが好ましい。
内部の空間部分の筒状体の断面は、円形、楕円形、多角形あるいは星形などが使用できる。
冷温水混合器の内部が、特に筒状体となった構造のため、注入した水が、拡散しやすく、温水と冷水が混じりやすい。
【００１４】  以下、本発明の実施の形態を図面に基づいて説明する。
【００１５】  図２は、本発明の冷温水混合器の概略斜視図を示している。
一組の注水管２は、温水配管の蛇口（図示せず）と冷水配管の蛇口（図示せず）のそれぞれの出口先に接続されている。また、注水管２は、おおむね水平で、注水側の先端が下方に屈曲している。また、蛇口の出口先から水平に回転可能で、冷温水を混合させる時は、注水側で接近させる。
冷温水混合器３は、注水管２から注出される注出水を、混合させるもので、その冷温水混合器３は、一端を閉じ、他端端面に放出口３ａと、側面上方に開口部３ｂとを設けた筒状体を軸方向に水平にして使用される。その側面上方部分で一方の注水管２に保持治具４により保持され、もう一方の注水管２の先端から開口部３ｂに注水される。
冷温水混合器３の側面上方部分での一方の注水管２による保持は、一方の前記注水管に、冷温水混合器３が、回転可能な構造で固定される。
放出口３ａは、冷温水混合器３の一方の端面に設けるが、端面中心部分に好ましくは設ける。あまり下の方だと冷温水が混合されにくい、またあまり上の方だと開口部３ｂから水があふれやすい。
開口部３ｂは、水があふれ出さない程度の大きさで、その場所の注水管２がはずれやすい程度の大きさ形状とする。
【００１６】  図３は、本発明の冷温水混合器の概略断面図を示している。特に、冷温水混合器３の側面上方部分での一方の注水管２による保持用の保持治具４の例を示している。保持治具４は、弾性を有し、中央に注出水が通る貫通孔を有する。また、保持治具４には、注水管２の内径にさし込み固定される程度の経を有する突起体４ａが凸設されている。注水管２の先端と保持治具４との接続がネジ式であれば、保持治具４は、必ずしも弾性を有する必要はない。
【００１７】  図４は、本発明の冷温水混合器の別の概略斜視図を示している。
一組の注水管２は、図３の説明と同様に注水側で接近させる。
冷温水混合器３は、筒状体を軸方向に水平にして使用し、閉じた一端の上方に注水管２が挿入できる程度の挿入孔３ｃをあけ、他端端面に放出口３ａと、側面上方に開口部３ｂとを設ける。
一方の注水管２を挿入孔３ｃから放出口３ａの方まで挿入することにより、冷温水混合器３の側面上方部分で、一方の注水管２に保持される。また、もう一方の注水管２の先端から開口部３ｂに注水される。
【符号の説明】
【００１８】  １…蛇口、２…注水管、３…冷温水混合器、３ａ…放出口、３ｂ…開口部、３ｃ…挿入孔、４…保持治具、４ａ…突起体
【図１】
0003206074.tif 000003
【図２】
0003206074.tif 000004
【図３】
0003206074.tif 000005
【図４】
0003206074.tif 000006